(57)【要約】【課題】使用後の食品容器を使用者が簡単な操作で容易に減容化できるようにした食品容器を提供する。【解決手段】上部が開放された食品収容へこみ部２を有して合成樹脂により形成した容器本体１が、容器本体１の折り畳みを容易にするための折り畳み線１３，１５を備え、且つ折り畳んだ状態を保持するための嵌合係止部１６を備える。【選択図】図１
0003107472.tif 000002
【実用新案登録請求の範囲】
【請求項１】
上部が開放された食品収容へこみ部を有して可曲性の合成樹脂により形成した容器本体が、該容器本体の折り畳みを容易にするための折り畳み線を備え、且つ折り畳んだ状態を保持するための嵌合係止部を備えたことを特徴とする食品容器。
【請求項２】
前記折り畳み線が凹溝と凸条の少なくとも一方であることを特徴とする請求項１に記載の食品容器。
【請求項３】
前記嵌合係止部が、嵌合凹部と、該嵌合凹部に押し込んで固定する嵌合凸部とからなることを特徴とする請求項１又は２に記載の食品容器。
【請求項４】
前記食品収容へこみ部に押し潰し補助段部を備えたことを特徴とする請求項１〜３のいずれか１つに記載の食品容器。
【請求項５】
前記容器本体に交差した折り畳み線を備え、容器本体を４つに折り畳むようにしたことを特徴とする請求項１〜４のいずれか１つに記載の食品容器。
【考案の詳細な説明】
【技術分野】
【０００１】
本考案は、弁当、寿司、カレーライス、お好み焼き、たこ焼き、焼きそば、スパゲティ等の調理済み食品を収容して販売するのに用いられる合成樹脂製の食品容器に関する。
【背景技術】
【０００２】
弁当、寿司、カレーライス、お好み焼き、たこ焼き、焼きそば、スパゲティ等の調理済み食品を収容して販売する食品容器としては合成樹脂にて製造されたものが種々利用されている。弁当等の食品容器としては、仕切壁によってご飯とおかずを分けて収容できるようにした食品収容へこみ部を有する容器本体と、該容器本体の上部を開閉自在に覆うようにした蓋体とにより構成したものがある。上記食品容器には蓋体が容器本体と別々に構成されているものと、蓋体が容器本体と一体に連接されているものとがある。
【０００３】
前記弁当等の容器本体は、例えば発泡ポリスチレン樹脂（ＰＳ）、ポリプロピレン樹脂（ＰＰ）或いはポリプロピレン系樹脂（ＰＰＦ）等の合成樹脂を用いて不透明に構成することにより食品収容へこみ部に収容された食品の色合い等を見栄え良くする工夫がなされており、又、蓋体は例えばポリスチレン樹脂（ＰＳ）等の透明材にて構成することにより食品収容へこみ部に収容した食品を外部から見ることができるようにしている。
【０００４】
そして、前記弁当等の購入者は、食事後の空になった食品容器はゴミ箱等に廃棄している。
【０００５】
しかし、近年ゴミ問題は大きな社会問題となっており、このため食品容器を前記したようなリサイクル可能な材料によって製作し、使用後の空になった食品容器を回収し、これを資源として再利用することが行われるようになってきている。
【０００６】
しかし、前記したような使用後の空の食品容器は無駄に嵩張り、このために収容場所や運搬等の取扱いに問題を有していた。
【０００７】
一方、特許文献１には、下部小径のテーパ状周壁と底壁を有する可曲性材料で形成された容器本体と、この容器本体の上端に嵌着して上端開口を閉鎖する蓋体とからなり、上記可曲性材料に、コーンスターチが重量比で５０％以上含まれたポリプロピレンとの混合物を用い、上記容器本体のテーパ状周壁に、この容器本体を軸方向に圧縮したときテーパ状周壁を扁平状にするための段状のリブを設けたものが示されている。
【特許文献１】特開２００４−１０６８８６号公報
【考案の開示】
【考案が解決しようとする課題】
【０００８】
前記特許文献１に記載の容器本体によれば、可曲性材料からなる容器本体のテーパ状周壁に段状のリブを備えているので、容器本体を軸方向に圧縮するとテーパ状周壁が扁平状に押し潰され、これによって容器本体を減容化することができる。
【０００９】
しかし、上記特許文献１の構成では次のような問題を有していた。
【００１０】
即ち、特許文献１のテーパ状周壁をもつ同心円形状の場合には容器本体を軸方向に圧縮することで減容化できると思われるが、前記した如く仕切壁を備えてご飯とおかずを分けて収容する食品収容へこみ部を備えているような複雑な形状の容器本体には適用が困難である。
【００１１】
又、前記したように、特許文献１の容器本体を軸方向に圧縮して減容化する際には、容器本体の周方向に均一な押圧力を加える必要があるが、このように周方向に均一な押圧力を付加して押し潰す操作が難しく面倒であるという問題があり、更に容器本体を押し潰す際に、手指が容器本体の汚れた内面に触れて手指を汚し易いという問題がある。このように、減容化の操作が面倒でしかも使用者が手指を汚し易い等の問題があるために、使用者によるゴミの減容化への協力を期待し難く、よってゴミの減容化を効果的に推進できないという問題がある。
【００１２】
本考案は、上記実情に鑑みてなしたもので、使用後の食品容器を簡単な操作で使用者が容易に減容化できるようにした食品容器を提供することを目的としてなしたものである。
【課題を解決するための手段】
【００１３】
請求項１に記載の考案は、上部が開放された食品収容へこみ部を有して可曲性の合成樹脂により形成した容器本体が、該容器本体の折り畳みを容易にするための折り畳み線を備え、且つ折り畳んだ状態を保持するための嵌合係止部を備えたことを特徴とするものである。
【００１４】
而して、この構成では、使用後の空の容器本体は折り畳み線に沿って容易に折り畳むことができ、且つ嵌合係止部によって折り畳んだ状態を保持できるので、容器本体を減容化して廃棄することができる。
【００１５】
請求項２に記載の考案は、前記折り畳み線が凹溝と凸条の少なくとも一方であることを特徴とするものである。
【００１６】
而して、この構成では、容器本体を折り畳む際に、凹溝又は凸条によって容易に折り畳むことができる。
【００１７】
請求項３に記載の考案は、前記嵌合係止部が、嵌合凹部と、該嵌合凹部に押し込んで固定する嵌合凸部とからなることを特徴とするものである。
【００１８】
而して、この構成では、容器本体を折り畳んだ後に、嵌合凹部に嵌合凸部を押し込んで固定することで、容易に食品容器を折り畳んだ状態に保持できる。
【００１９】
請求項４に記載の考案は、前記食品収容へこみ部に押し潰し補助段部を備えたことを特徴とするものである。
【００２０】
而して、この構成では、食品収容へこみ部を裏側から押すことで押し潰し補助段部により食品収容へこみ部を容易に平坦化することができ、よって食品容器の更なる減容化が可能になる。
【００２１】
請求項５に記載の考案は、前記容器本体に交差した折り畳み線を備え、容器本体を４つに折り畳むようにしたことを特徴とするものである。
【００２２】
而して、この構成では、容器本体を４つに折り畳むことにより、食品容器を更に減容化できる。
【考案の効果】
【００２３】
上記本考案の食品容器によれば、容器本体を畳み線に沿って折り畳み、且つ嵌合係止部によって容器本体を折り畳んだ状態に保持できるようにしたので、容器本体が比較的複雑な形状を有していても容易に減容化でき、且つ減容化を維持した状態で廃棄できるという優れた効果を奏し得る。
【００２４】
また、前記容器本体の折り畳み時に、折り畳み線に沿い食品収容へこみ部が内側になるよう折り畳むことで、使用者は容器本体の汚れている内面に手指を触れることなく折り畳める効果がある。
【考案を実施するための最良の形態】
【００２５】
以下、本考案の実施の形態を添付図面を参照して説明する。
【００２６】
図１〜図３は本考案の食品容器の形態の一例を示すもので、図１は容器本体の一例を示す平面図、図２は図１のＩＩ−ＩＩ方向矢視図、図３は図１のＩＩＩ−ＩＩＩ方向矢視図である。
【００２７】
図１〜図３において、１は合成樹脂により形成した不透明で可曲性の容器本体であり、該容器本体１は、ポリプロピレン樹脂（ＰＰ）或いは不透明のポリプロピレン系樹脂（ＰＰＦ）等にて形成することができる。この容器本体１は、上部が開放された食品収容へこみ部２をフランジ面３から一体に連なる周壁部４及び底部５によって形成しており、更に食品収容へこみ部２は山形の仕切壁６を隔てて前後に２個形成されており、一方の食品収容へこみ部２ａはご飯収容部、他方の食品収容へこみ部２ｂはおかず収容部となっている。更に、おかず収容部である食品収容へこみ部２ｂの隅部には漬け物のような香物等を入れるための小さな補助へこみ部７が形成されている。更に、該補助へこみ部７を囲むように前記仕切壁６から周壁部４にかけて補強壁８が形成されており、この補強壁８と、前記山形に形成された仕切壁６の形状と、前記フランジ面３の周縁部を下方に曲げた折り曲げ部１０とによって容器本体１の前後方向（図１、図２において左右方向）における曲げ強度を保持するようにしている。
【００２８】
前記フランジ面３と周壁部４との間には蓋用段部１１が形成されてあり、この蓋用段部１１に、図３に示す如く例えば透明な樹脂材料で形成した蓋体１２が嵌合するようになっている。尚、この蓋体１２には種々の材質、形状のものを採用することができる。
【００２９】
前記食品収容へこみ部２ａ側の仕切壁６に近い周壁部４には凹溝１３ａからなる前後の折り畳み線１３が設けられている。また前記食品収容へこみ部２ｂ側の仕切壁６に近い位置には凹溝１４ａからなる折り畳み補助線１４が設けられており、折り畳み時に仕切壁６が傾倒できるようになっている。従って、食品収容へこみ部２が内側になるようにして図２の容器本体１の右側端部を持ち上げて容器本体１の左側端部上に重ね合わせるように前後に折り畳むと、容器本体１は前後の折り畳み線１３に沿って折れ曲がり、且つ仕切壁６が折り畳み補助線１４に沿って倒れることにより図４、図５のように２つに折り畳めるようになっている。このとき、容器本体１の右側端部は左側の食品収容へこみ部２ｂに入り込むように折り畳まれる。
【００３０】
又、容器本体１には、前記仕切壁６の長さ方向中央部で仕切壁６と直角に交差する左右の折り畳み線１５を形成している。この左右の折り畳み線１５は、前記食品収容へこみ部２ａ側ではその底部５と前記仕切壁６の食品収容へこみ部２ａ側面とに凸条１５ａを設けており、又、前記食品収容へこみ部２ｂ側ではその底部５に凹溝１５ｂを設けている。従って、図４の如く前後に２つに折り畳んだ容器本体１を、図４の下端側を持ち上げて図４の上端側に重ねるように左右に折り畳むと、容器本体１は前記左右の折り畳み線１５に沿って折れ曲り、これによって図６に示す如く４つに折り畳まれるようになる。このとき、前記凸条１５ａは前記２つに折り畳むことによって表裏が反転して凹溝になっているので４つに折り畳む際の折り畳みが容易になる。
【００３１】
更に、前記容器本体１の食品収容へこみ部２ｂ側におけるフランジ面３の端部の左右側部には、互いに嵌合することによって前記した如く４つに折り畳んだ容器本体１を折り畳み状態に維持できるようにした嵌合係止部１６を備えている。この嵌合係止部１６は、一方に備えた嵌合凹部１６ａと、他方に備えて前記嵌合凹部１６ａに押し込んで固定する嵌合凸部１６ｂとにより構成されている。尚、上記嵌合係止部１６には図示例以外の種々の形状のものを採用してもよい。
【００３２】
また、前記食品収容へこみ部２ａ，２ｂ、及び補助へこみ部７の周壁部には、夫々裏側から指で押すことによって前記食品収容へこみ部２ａ，２ｂ及び補助へこみ部７の形状を容易に扁平に押し潰すことができるようにした補助段部１７を備えている。
【００３３】
次に、上記形態の作動を説明する。
【００３４】
使用後の空になった前記容器本体１は、食品収容へこみ部２が内側になるようにして図２の容器本体１の右側端部を持ち上げて容器本体１の左側端部上に重ね合わせるように前後に折り畳むと、容器本体１は前後の折り畳み線１３に沿って折れ曲がり、且つ仕切壁６が折り畳み補助線１４に沿って倒れることにより容器本体１は図４、図５の如く容易に２つに折り畳まれる。このとき、容器本体１の右側端部は左側の食品収容へこみ部２ｂに入り込むように折り畳まれる。このように、容器本体１は２つに折り畳まれることによって減容化される。更にこのとき、食品収容へこみ部２ａ，２ｂ及び補助へこみ部７を裏側から押すと、押し潰し補助段部１７によって食品収容へこみ部２ａ，２ｂ及び補助へこみ部７が容易に押し潰されて扁平になることにより、容器本体１は更に減容化される。
【００３５】
又、図４、図５の如く前後に２つに折り畳んだ容器本体１を、更に図４の下端側を図４の上端側に重ねるように左右に折り畳むと、容器本体１は前記左右の折り畳み線１５に沿って折れ曲り、これによって容器本体１は図６に示す如く４つに折り畳まれる。このとき、前記凸条１５ａは前記２つに折り畳む際に表裏が反転して凹溝になっているので折り畳みが容易になる。
【００３６】
更に、図４のように容器本体を４つに折り畳むと、一端のフランジ面３の左右側部に備えた嵌合係止部１６の嵌合凹部１６ａと嵌合凸部１６ｂが対向した位置になるので、嵌合凸部１６ｂを外側（フランジ面３の裏側）から押して嵌合凹部１６ａに嵌合させると、容器本体１は４つに折り畳まれた状態に保持され、これによって容器本体１は減容化された状態に維持される。
【００３７】
尚、図１に示す如く、前記容器本体１の底部等に、容器本体１を折り畳む方向を示す矢印等の指示１８、及びゴミの減容化を呼びかけるメッセージ１９等を凹凸等によって表示することは有効である。
【００３８】
上記したように、容器本体を４つに折り畳んで嵌合係止部１６で固定した容器本体１は減容化した状態を維持し、そのままごみ箱等に廃棄しても減容化された状態が維持され続けるので、ゴミの減容化に大きく寄与することができる。又、前記したように容器本体を折り畳む操作は簡単であり且つ手を汚さずに行えるので、使用者によるゴミの減容化への協力が期待でき、よってゴミの減容化を効果的に促進させことができる。
【００３９】
尚、上記形態では、容器本体１を４つに折り畳んで減容化する場合について説明したが、容器本体１の前後のフランジ面３に前記嵌合係止部１６の嵌合凹部１６ａと嵌合凸部１６ｂを設けて、容器本体１を２つに折り畳んだ状態で嵌合係止部１６により固定すると、容器本体１を２つに折り畳んだ状態に減容化できる。
【００４０】
又、本考案は前記したように、食品収容へこみ部２を仕切壁６によって２つのへこみ部２ａ，２ｂに区画するような比較的複雑な形状を有する容器本体１の折り畳みに適用して効果的な減容化を行うことができるが、仕切壁等を有していない簡略な形状の容器本体の減容化にも勿論適用することができる。
【００４１】
なお、本考案の食品容器は、上記した実施の形態に限定されるものではなく、本考案の要旨を逸脱しない範囲内において種々変更を加え得ることは勿論である。
【図面の簡単な説明】
【００４２】
【図１】本考案の食品容器における容器本体の一例を示す平面図である。
【図２】図１のＩＩ−ＩＩ方向矢視図である。
【図３】図１のＩＩＩ−ＩＩＩ方向矢視図である。
【図４】図１の容器本体を２つに折り畳んだ状態を示す平面図である。
【図５】図４のＶ−Ｖ方向矢視図である。
【図６】図４の２つに折り畳んだ状態から４つに折り畳んだ状態を示す平面図である。
【符号の説明】
【００４３】
１  容器本体
２  食品収容へこみ部
２ａ   食品収容へこみ部（ご飯収容部）
２ｂ   食品収容へこみ部（おかず収容部）
１３  前後の折り畳み線
１３ａ        凹溝
１５  左右の折り畳み線
１５ａ        凸条
１５ｂ        凹溝
１６  嵌合係止部
１６ａ        嵌合凹部
１６ｂ        嵌合凸部
１７  押し潰し補助段部
【図１】
0003107472.tif 000003
【図２】
0003107472.tif 000004
【図３】
0003107472.tif 000005
【図４】
0003107472.tif 000006
【図５】
0003107472.tif 000007
【図６】
0003107472.tif 000008